(57)【特許請求の範囲】
【請求項１】
ユーザの殿部を覆いつつ、前記ユーザが仰臥位で寝た際の前記殿部の体圧を分散する体圧分散カバー装置であって、
前記殿部の４つに分割された部位にそれぞれ接触し、空気が流入して膨張し、又は前記空気が流出して収縮する前記空気の入った袋状の４つの体圧分散部と、
前記４つの体圧分散部内に前記空気を送るための４つのポンプ部と、
前記４つのポンプ部から出力される前記空気を前記４つの体圧分散部内に送るための４つの送気流路部と、
前記４つの体圧分散部内の前記空気を排出するための４つの排気流路部と、
前記各排気流路部の末端に設けられた４つの排気孔部を、閉塞又は開放する為の４つの排気磁石部と、
前記４つのポンプ部のうち、１つのポンプ部が停止して残り３つのポンプ部が送気し、さらに、前記４つの排気孔部のうち、停止している前記１つのポンプ部に対応する１つの排気孔部が開放されて残り３つの排気孔部が閉塞される状態を、１〜数分毎に順次切り替えるように制御するリレー部と、
を備え、
前記４つの体圧分散部は、前記殿部の仙骨部に対応する部位を避けるように間隙をあけて配置されていることを特徴とする体圧分散カバー装置。
【請求項２】
請求項１に記載の体圧分散カバー装置において、
前記各排気磁石部は、
前記各排気孔部を閉塞又は開放するようにスライドする金属板と、
前記金属板を案内する溝部と、
前記金属板を閉塞位置に移動させるために通電して磁力を発生させる閉塞の為の電磁石部と、
前記金属板を開放位置に移動させるために通電して磁力を発生させる開放の為の電磁石部と、
を有することを特徴とする体圧分散カバー装置。
【発明の詳細な説明】
【技術分野】
【０００１】
本発明は、体圧分散カバー装置に関する。
【背景技術】
【０００２】
従来、老人医療や若年寝たきり患者において、長期仰臥による褥瘡が問題となっている。本発明に関連する技術として、例えば、特許文献１には、褥瘡ができやすい臀部・仙骨部・尾骨部などの体重負荷がかかる部位に関する荷重圧を経時的・効率的により確実に除去し又は変換し、褥瘡予防できるように、経時的に加圧調整可能な空気袋を備えた、おむつ・おむつカバーが開示されている。
【先行技術文献】
【特許文献】
【０００３】
【特許文献１】特開２００９−２２６１８５号公報
【発明の概要】
【発明が解決しようとする課題】
【０００４】
褥瘡は、主に仙骨部、坐骨部、大転子部、腸骨部、尾骨部等に出来るものであり、主な原因は血流阻害によるものである。毛細血管が体重圧により圧迫されて血流が阻害されて途絶えることにより、末梢の細胞の酸素呼吸が出来なくなり、又、栄養補給が阻止されてダメージを受け、それが長期に続いた場合に細胞が死滅を起こすと考えられている。細胞が死滅すれば、その組織は腐って脱落して褥瘡となる。
【０００５】
本発明の目的は、褥瘡を防止することを可能とする体圧分散カバー装置を提供することである。
【課題を解決するための手段】
【０００６】
本発明に係る体圧分散カバー装置は、ユーザの殿部を覆いつつ、前記ユーザが仰臥位で寝た際の前記殿部の体圧を分散する体圧分散カバー装置であって、前記殿部の４つに分割された部位にそれぞれ接触し、空気が流入して膨張し、又は前記空気が流出して収縮する前記空気の入った袋状の４つの体圧分散部と、前記４つの体圧分散部内に前記空気を送るための４つのポンプ部と、前記４つのポンプ部から出力される前記空気を前記４つの体圧分散部内に送るための４つの送気流路部と、前記４つの体圧分散部内の前記空気を排出するための４つの排気流路部と、前記各排気流路部の末端に設けられた４つの排気孔部を、閉塞又は開放する為の４つの排気磁石部と、前記４つのポンプ部のうち、１つのポンプ部が停止して残り３つのポンプ部が送気し、さらに、前記４つの排気孔部のうち、停止している前記１つのポンプ部に対応する１つの排気孔部が開放されて残り３つの排気孔部が閉塞される状態を、１〜数分毎に順次切り替えるように制御するリレー部と、を備え、前記４つの体圧分散部は、前記殿部の仙骨部に対応する部位を避けるように間隙をあけて配置されていることを特徴とする。
【０００８】
また、本発明に係る体圧分散カバー装置において、前記各排気磁石部は、前記各排気孔部を閉塞又は開放するようにスライドする金属板と、前記金属板を案内する溝部と、前記金属板を閉塞位置に移動させるために通電して磁力を発生させる閉塞の為の電磁石部と、前記金属板を開放位置に移動させるために通電して磁力を発生させる開放の為の電磁石部と、を有することが好ましい。
【発明の効果】
【０００９】
本発明によれば、褥瘡を防止することが出来る。
【図面の簡単な説明】
【００１０】
【図１】本発明に係る実施形態の体圧分散カバー装置を示す図である。
【図２】本発明に係る実施形態の体圧分散カバー装置において、リレー部、ポンプ部、排気室を示す図である。
【図３】本発明に係る実施形態の体圧分散カバー装置の排気室を示す図である。
【図４】本発明に係る実施形態の体圧分散カバー装置において排気磁石部を示す図である。
【図５】本発明に係る実施形態の体圧分散カバー装置において、コネクタ部を示す図である。
【図６】本発明に係る実施形態の体圧分散カバー装置において、リレー部と、ポンプ部及び金属板との接続関係を示す図である。
【図７】本発明に係る実施形態の体圧分散カバー装置において、ポンプ部と電磁石の作動状態を示すタイミングチャートである。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、本発明に係る実施形態の体圧分散カバー装置１０を示す図であり、図１（ａ）は、体圧分散カバー装置１０の拡大図であり、図１（ｂ）は、体圧分散カバー装置１０の全体図である。
【００１３】
図２は、本発明に係る実施形態の体圧分散カバー装置１０において、リレー部３２、ポンプ部３０ａ〜３０ｄ、排気室４０を示す図である。図３は、本発明に係る実施形態の体圧分散カバー装置１０の排気室４０を示す図である。
【００１４】
図４は、本発明に係る実施形態の体圧分散カバー装置１０において排気磁石部４１ａ〜４１ｄを示す図であり、図４（ａ）は、正面図であり、図４（ｂ）は、排気磁石部４１ａ〜４１ｄの１つの金属板４８ａと溝部５０ａとの関係を示す断面図である。
【００１５】
図５は、本発明に係る実施形態の体圧分散カバー装置１０においてコネクタ部６０を示す図である。図６は、本発明に係る実施形態の体圧分散カバー装置１０において、リレー部３２と、ポンプ部３０ａ〜３０ｄ及び金属板４８ａ〜４８ｄとの接続関係を示す図である。
【００１６】
図７は、本発明に係る実施形態の体圧分散カバー装置１０において、ポンプ部３０ａ〜３０ｄと閉塞の為の電磁石部４４ａ〜４４ｄ，開放の為の電磁石部４６ａ〜４６ｄの作動状態を示すタイミングチャートである。
【００１７】
体圧分散カバー装置１０は、ユーザの殿部を覆いつつ、ユーザが仰臥位で寝た際の殿部の体圧を分散する機能を有している。ユーザとは、ここでは、高齢者や若年寝たきり患者であるものとして説明するが、もちろん、その他の人にも適用可能である。
【００１８】
体圧分散カバー装置１０は、体圧分散部１４ａ〜１４ｄと、殿部カバー部１６と、股間カバー部２２と、帯部１８と、ポンプ部３０ａ〜３０ｄと、送気流路部３２ａ〜３２ｄと、排気流路部４０ａ〜４０ｄと、リレー部３２と、排気室４０とを備える。
【００１９】
殿部カバー部１６は、ユーザの殿部の全体を覆うことが可能な部材である。股間カバー部２２は、殿部カバー部１６から突出し、ユーザの股間を覆う機能を有し、先端部には面ファスナー２４が設けられている。
【００２０】
帯部１８は、殿部カバー部１６から横方向に突出し、股間カバー部２２の面ファスナー２４と着脱可能な面ファスナー２０を有する帯状の部材である。帯部１８は、適度な強度と柔軟性を有する材質、例えば、綿生地又はナイロン系の生地で構成することが出来る。
【００２１】
体圧分散部１４ａ〜１４ｄは、ユーザの殿部の４つに分割された部位にそれぞれ接触し、空気が流入して膨張し、又は空気が流出して収縮する空気の入った袋状の部材である。殿部は、胴体（体幹）の後面の下部にある左右が盛り上がっている部分である。
【００２２】
４つの体圧分散部１４ａ〜１４ｄは、図１（ａ）（ｂ）に示されるように、仙骨部に対応する部位を避けるように配置される。図１に示されるように、体圧分散部１４ａ，１４ｂは所定の間隙１５ａを空けて横置きで配置されており、体圧分散部１４ｃ，１４ｄは、間隙１５ａよりも広い間隙１５ｂを空けて縦置きで配置される。これにより、間隙１５ｂに対応する仙骨部を４つの体圧分散部１４ａ〜１４ｄと離間させることができる。
【００２３】
体圧分散部１４ａ〜１４ｄは、４つのうち３つは後述するようにポンプ部３０ａ〜３０ｄのうち３つのポンプから送られてきた空気により膨らみ、残りの１つは、ユーザの体重圧により空気が押し出されて排出される。体圧分散部１４ａ〜１４ｄは、適度な強度と柔軟性を有する材質、例えば、ナイロン系の生地を用いて構成されている。
【００２４】
ポンプ部３０ａ〜３０ｄは、体圧分散部１４ａ〜１４ｄ内に空気を送るためのエアーポンプである。ポンプ部３０ａ〜３０ｄは、図６に示されるように、リレー部３２によって通電経路が遮断又は接続される。
【００２５】
ポンプ部３０ａ〜３０ｄは、交流電源を振動子に対向する電磁石のコイルに通電すると、磁力作用により振動子に固定された永久磁石と両電磁石間で磁極となり、振動子が振動しダイアフラムによるケーシング内の容積変化と吸入弁及び吐出弁の作用で吸入圧縮を繰返し吐出口から空気が吐き出される。
【００２６】
送気流路部３２ａ〜３２ｄは、ポンプ部３０ａ〜３０ｄと体圧分散部１４ａ〜１４ｄとを連通するチューブである。送気流路部３２ａ〜３２ｄは、例えば、硬質エラストマゴムのチューブを用いて構成される。送気流路部３２ａ〜３２ｄは、ポンプ部３０ａ〜３０ｄから出力される空気を体圧分散部１４ａ〜１４ｄ内に送り込む。
【００２７】
排気流路部４０ａ〜４０ｄは、排気室４０と体圧分散部１４ａ〜１４ｄとを連通するチューブである。排気流路部４０ａ〜４０ｄは、柔軟性を有する材質、例えば、硬質エラストマゴムのチューブを用いて構成される。ポンプ部３０ａ〜３０ｄにより空気が送られていない体圧分散部１４ａ〜１４ｄがユーザの体重圧により内部の空気が押し出され、排気流路部４０ａ〜４０ｄを介して排気室４０内に送られる。
【００２８】
排気室４０は、天井面が開放された立方体形状を有する箱部材である。排気室４０は、適度な強度を有する材質、例えば、ポリプロピレン（ＰＰ）系の樹脂で構成される。４つの側壁面には、排気磁石部４１ａ〜４１ｄが設けられている。排気磁石部４１ａ〜４１ｄは、排気流路部４０ａ〜４０ｄの末端に設けられた複数の排気孔部４３ａ〜４３ｄを閉塞又は開放する機能を有する。
【００２９】
ポンプ部３０ａ〜３０ｄ、リレー部３２及び排気室４０は、図２（ｂ）に示されるように、ポリプロピレン（ＰＰ）系の樹脂の外装カバー１２内に収納されている。また、図１に示されるように、殿部カバー部１６と、外装カバー１２とは送気流路部３２ａ〜３２ｄ及び排気流路部４０ａ〜４０ｄにより接続されており、この流路途中にはコネクタ部６０が設けられている。
【００３０】
コネクタ部６０は、殿部カバー部１６と、外装カバー１２とを分離可能とするための接続部材である。コネクタ部６０において、殿部カバー部１６と外装カバー１２とを分離することで、保守性が向上し、取り回しや輸送面を含めたサービス性が向上する。コネクタ部６０は、適度な強度を有する材質、例えば、ポリプロピレン（ＰＰ）系の樹脂で構成される。
【００３１】
コネクタ部６０は、上面及び底面に凹部を有し一方側の送気流路部３２ａ〜３２ｄ及び排気流路部４０ａ〜４０ｄが接続される第１コネクタ部６２と、第１コネクタ部６２の凹部に引掛け可能な爪部を有し他方側の送気流路部３２ａ〜３２ｄ及び排気流路部４０ａ〜４０ｄが接続される第２コネクタ部６４とを有している。
【００３２】
排気磁石部４１ａ〜４１ｄは、金属板４８ａ〜４８ｄと、溝部５０ａ〜５０ｄと、閉塞の為の電磁石部４４ａ〜４４ｄと、開放のための電磁石部４６ａ〜４６ｄとを備えている。
【００３３】
金属板４８ａ〜４８ｄは、排気孔部４３ａ〜４３ｄを閉塞又は開放するようにスライドする。金属板４８ａ〜４８ｄは、排気孔部４３ａ〜４３ｄの孔面積よりも大きい面積を有する板部材である。金属板４８ａ〜４８ｄは、磁石に磁着する金属で構成されている。
【００３４】
溝部５０ａ〜５０ｄは、図４（ｂ）に示されるように、金属板４８ａ〜４８ｄを挟持するような略コの字形状を有している。溝部５０ａ〜５０ｄは、適度な強度を有する材質、例えば、ポリプロピレン（ＰＰ）系の樹脂で構成される。また、溝部５０ａ〜５０ｄが排気室４０から抜け落ちないように、図４（ｂ）に示されるように、スナップリング５２が用いられる。溝部５０ａ〜５０ｄは、排気室４０の側壁面を突き抜けて外側に突出し、内部に排気孔部４３ａ〜４３ｄが形成された突起部を有している。
【００３５】
図４（ｂ）に示されるように、排気流路部４０ａ〜４０ｄは、当該突起部に装着されることで、体圧分散部１４ａ〜１４ｄから排出される空気を排気室４０内に送り込むことが出来る。
【００３６】
閉塞の為の電磁石部４４ａ〜４４ｄは、溝部５０ａ〜５０ｄの上部に設けられ、金属板４８ａ〜４８ｄを閉塞位置に移動させるために通電して磁力を発生させる電磁石を含んで構成される。
【００３７】
開放の為の電磁石部４６ａ〜４６ｄは、溝部５０ａ〜５０ｄの下部に設けられ、金属板４８ａ〜４８ｄを開放位置に移動させるために通電して磁力を発生させる電磁石を含んで構成される。
【００３８】
リレー部３２は、図示しない制御信号により制御され、ポンプ部３０ａ〜３０ｄのうち、１つのポンプ部が停止して残り３つのポンプ部が送気するように、通電経路を接続又は遮断する。
【００３９】
リレー部３２は、４つの排気孔部４３ａ〜４３ｄのうち、停止している１つのポンプ部に対応する１つの排気孔部が開放され、残り３つの排気孔部が閉塞されるように電磁石部４４ａ〜４４ｄ，４６ａ〜４６ｄへの通電経路を接続又は遮断する。
【００４０】
図７には、ポンプ部３０ａ〜３０ｄと電磁石部４４ａ〜４４ｄ，４６ａ〜４６ｄの作動状態を示すタイミングチャートが開示されている。ポンプ部３０ａ〜３０ｄは、図７のポンプ１〜４に対応する。
【００４１】
電磁石部４４ａと電磁石部４６ａの組み合わせがＭ１に対応し、電磁石部４４ｂと電磁石部４６ｂの組み合わせがＭ２に対応し、電磁石部４４ｃと電磁石部４６ｃの組み合わせがＭ３に対応し、電磁石部４４ｄと電磁石部４６ｄの組み合わせがＭ４に対応する。
【００４２】
ここで、Ｍ１〜Ｍ４がＯＮのときは閉塞の為の電磁石部４４ａ〜４４ｄに磁力が発生している状態で、Ｍ１〜Ｍ４がＯＦＦのときは開放の為の電磁石部４６ａ〜４６ｄに磁力が発生している状態である。
【００４３】
図７において、サイクル１について説明すると、最初の１分間は、ポンプ１（ポンプ部３０ａ）がＯＦＦとなり、ポンプ２〜ポンプ４（ポンプ部３０ｂ〜３０ｄ）がＯＮとなり、Ｍ１は、電磁石部４４ａがＯＦＦ、電磁石部４６ａがＯＮとなり、Ｍ２〜Ｍ４は電磁石部４４ｂ〜４４ｄがＯＮ、電磁石部４６ｂ〜４６ｄがＯＦＦとなる。
【００４４】
これにより、体圧分散部１４ｂ〜１４ｄが膨らんで３点によりユーザの殿部を支持し、体圧分散部１４ａが収縮して減圧する。
【００４５】
次の１分間は、ポンプ２（ポンプ部３０ｂ）がＯＦＦとなり、ポンプ１，３，４（ポンプ部３０ａ，３０ｃ，３０ｄ）がＯＮとなり、Ｍ２は、電磁石部４４ｂがＯＦＦ、電磁石部４６ｂがＯＮとなり、Ｍ１、Ｍ３、Ｍ４は電磁石部４４ａ，４４ｃ，４４ｄがＯＮ、電磁石部４６ａ、４６ｃ、４６ｄがＯＦＦとなる。
【００４６】
これにより、体圧分散部１４ａ，１４ｃ，１４ｄが膨らんで３点によりユーザの殿部を支持し、体圧分散部１４ｂが収縮して減圧する。
【００４７】
さらに次の１分間は、ポンプ３（ポンプ部３０ｃ）がＯＦＦとなり、ポンプ１，２，４（ポンプ部３０ａ，３０ｂ，３０ｄ）がＯＮとなり、Ｍ３は、電磁石部４４ｃがＯＦＦ、電磁石部４６ｃがＯＮとなり、Ｍ１、Ｍ２，Ｍ４は電磁石部４４ａ、４４ｂ、４４ｄがＯＮ、電磁石部４６ａ、４６ｂ、４６ｄがＯＦＦとなる。
【００４８】
これにより、体圧分散部１４ａ，１４ｂ，１４ｄが膨らんで３点によりユーザの殿部を支持し、体圧分散部１４ｃが収縮して減圧する。
【００４９】
最後の１分間は、ポンプ４（ポンプ部３０ｄ）がＯＦＦとなり、ポンプ１，２，３（ポンプ部３０ａ，３０ｂ，３０ｃ）がＯＮとなり、Ｍ４は、電磁石部４４ｄがＯＦＦ、電磁石部４６ｄがＯＮとなり、Ｍ１〜Ｍ３は電磁石部４４ａ〜４４ｃがＯＮ、電磁石部４６ａ〜４６ｃがＯＦＦとなる。
【００５０】
これにより、体圧分散部１４ａ，１４ｂ，１４ｃが膨らんで３点によりユーザの殿部を支持し、体圧分散部１４ｄが収縮して減圧する。これで１つのサイクルが完了する。図７の例では、この１つのサイクルが３回繰り返されている様子が示されている。
【００５１】
このように、４つの体圧分散部１４ａ〜１４ｄのうち、３つが膨張し、残り１つが収縮する状態を１分間ごとに順次入れ替えていく。なお、ここでは、これらの状態を１分間ごとに順次入れ替えていくものとして説明するが、１分に限定されず、例えば、数分で設定してもよい。
【００５２】
続いて、上記構成の体圧分散カバー装置１０の作用について説明する。上述したように、従来、老人医療や若年寝たきり患者において、長期仰臥による褥瘡が問題となっている。褥瘡は、主に仙骨部、坐骨部、大転子部、腸骨部、尾骨部等に出来るものであり、主な原因は血流阻害によるものである。
【００５３】
血流阻害が続くと、最初に発赤し、それから表皮が剥離して浅い潰瘍になり、更に深く抉れて脂肪や筋肉などの皮下組織があらわになり、最後に骨まで達して、他の臓器に浸潤する。
【００５４】
もし修復されなければいつまでも穴が開いたままであり、ひどい時には、骨が腐り、あるいは、他の隣接臓器にまで浸透していく。それを止める有効な根本治療方法は除圧のみと考えられている。
【００５５】
除圧とは、すなわち、組織、血管への圧力を排除するのだが、圧力を排除するにはいくつかの方法がある。一番簡単なものは、その部分を床から持ち上げて、ベッド、布団から距離を置くということだろうが、その為には体位変換を２〜３時間おきにせねばならず、介護者にとって大きな負担を強いることとなる。
【００５６】
もう一つは、褥瘡の周囲に何かを当てて褥瘡を浮かせる方法だが、この場合は、褥瘡の周囲の物を当てた部分が褥瘡になってしまうというジレンマを抱え込むことになる。そのため、今までは簡単な円座くらいしか使用されてこなかった。
【００５７】
このような課題に対し、体圧分散カバー装置１０によれば、ユーザの殿部を４つに分割された部位に４つの体圧分散部１４ａ，１４ｂ，１４ｃ，１４ｄが接触し、４つの体圧分散部１４ａ，１４ｂ，１４ｃ，１４ｄにおいて、１つの袋内の空気を抜き、その他の袋は空気が入った状態を１分毎に順次入れ替えていくため、空気が抜かれた部位には、体重圧がかからずに組織に酸素や栄養が運ばれる。これにより、体圧分散部に接している皮膚に褥瘡が発生することを防ぎ、又体圧分散部に囲まれかつ接していない仙骨部や尾骨部の褥瘡が改善するという顕著な効果を奏する。
【符号の説明】
【００５８】
１０  体圧分散カバー装置、１２  外装カバー、１４ａ，１４ｂ，１４ｃ，１４ｄ  体圧分散部、１５ａ，１５ｂ  間隙、１６  殿部カバー部、１８  帯部、２０  面ファスナー、２２  股間カバー部、２４  面ファスナー、３０ａ，３０ｂ，３０ｃ，３０ｄ  ポンプ部、３２ａ，３２ｂ，３２ｃ，３２ｄ  送気流路部、４０ａ，４０ｂ，４０ｃ，４０ｄ  排気流路部、４１ａ，４１ｂ，４１ｃ，４１ｄ  排気磁石部、４３ａ，４３ｂ，４３ｃ，４３ｄ  排気孔部、４４ａ，４４ｂ，４４ｃ，４４ｄ  閉塞の為の電磁石部、４６ａ，４６ｂ，４６ｃ，４６ｄ  開放の為の電磁石部、４８ａ，４８ｂ，４８ｃ，４８ｄ  金属板、３２  リレー部、４０  排気室、５０ａ，５０ｂ，５０ｃ，５０ｄ  溝部、５２  スナップリング、６０  コネクタ部、６２  第１コネクタ部、６４  第２コネクタ部。
【要約】      （修正有）【課題】褥瘡を防止することを可能とする体圧分散カバー装置を提供する。【解決手段】体圧分散カバー装置１０は、殿部の複数に分割された部位にそれぞれ接触し、空気が流入して膨張し又は空気が流出して収縮する空気の入った袋状の体圧分散部１４ａ〜１４ｄと、体圧分散部内に空気を送るための４つのポンプ部と、ポンプ部から出力される空気を体圧分散部内に送るための４つの送気流路部３２ａ〜３２ｄと、体圧分散部内の空気を排出するための４つの排気流路部４０ａ〜４０ｄと、各排気流路部の末端に設けられた４つの排気孔部を、閉塞又は開放する為の４つの排気磁石部と、４つのポンプ部のうち、１つのポンプ部が停止して残りのポンプ部が送気し、４つの排気孔部のうち、停止している１つのポンプ部に対応する１つの排気孔部が開放されて残りの排気孔部が閉塞される状態を順次切り替えるように制御するリレー部を備える。【選択図】図１【図１】
0006803098.tif 000002
【図２】
0006803098.tif 000003
【図３】
0006803098.tif 000004
【図４】
0006803098.tif 000005
【図５】
0006803098.tif 000006
【図６】
0006803098.tif 000007
【図７】
0006803098.tif 000008